(57)【要約】【課題】室内端末機から熱源機に向けて一方向に出力される信号に基づきユーザが所望する運転を熱源機に確実に実行させる冷温水供給システムを提供する。【解決手段】冷温水を供給する熱源機１と、熱源機１の動作を制御する熱源制御部４０と、冷温水を熱源として冷暖房を行う室内端末機１６を備えたもので、室内端末機１６に備えられ熱源機１に対して信号を出力する送信手段３０、３１と、熱源機１に備えられ送信手段３０、３１からの信号を受信する受信手段４１、４２と、送信手段３０、３１からの信号を受信手段４１、４２に一方向に伝える端末制御線４４を設け、送信手段３０、３１から温水要求信号が出力され、それが受信手段４１、４２に受信された場合、熱源制御部４０は熱源機１に温水を生成させ、送信手段３０、３１から冷水要求信号が出力され、それが受信手段４１、４２に受信された場合、熱源制御部４０は、熱源機１に冷水を生成させるようにした。【選択図】図２
2017090002.tif 000002
【特許請求の範囲】
【請求項１】
温水または冷水を供給する熱源機と、該熱源機に備えられ前記熱源機の動作を制御する熱源制御部と、前記熱源機からの温水または冷水を熱源として室内の暖房または冷房を行う室内端末機とを備えた冷温水供給システムにおいて、前記室内端末機に備えられ前記熱源機に対して信号を出力する送信手段と、前記熱源機に備えられ前記送信手段から出力された信号を受信する受信手段と、前記送信手段からの信号を前記受信手段に一方向にのみ伝える端末制御線とを設け、前記送信手段から室内を暖房するために温水供給が必要であるという温水要求信号が出力され、その信号が前記端末制御線を介して前記受信手段に受信された場合、前記熱源制御部は、前記熱源機に温水を生成させるように制御し前記室内端末機に温水を供給させる一方、前記送信手段から室内を冷房するために冷水供給が必要であるという冷水要求信号が出力され、その信号が前記端末制御線を介して前記受信手段に受信された場合、前記熱源制御部は、前記熱源機に冷水を生成させるように制御し前記室内端末機に冷水を供給させるようにしたことを特徴とする冷温水供給システム。
【請求項２】
前記端末制御線として、３芯からなるＥ−ｃｏｎ通信線を用いたことを特徴とする請求項１記載の冷温水供給システム。
【発明の詳細な説明】
【技術分野】
【０００１】
本発明は、温水または冷水を供給する熱源機を備え、室内端末機から熱源機に向けて一方向に出力される信号に基づいて熱源機を制御する冷温水供給システムに関するものである。
【背景技術】
【０００２】
従来、温水を生成する暖房専用の熱源機と、その熱源機の運転の開始または停止を指示する運転スイッチや温水温度を設定する温水温度設定スイッチ等を有するメインリモコンとを備え、熱源機で加熱された温水を、室内に設置された暖房用の室内端末機と熱源機の間で循環させ、室内端末機で放熱させることにより、室内の暖房を行うようにした温水供給システムがあり、このような温水供給システムにおいて、室内端末機と熱源機との間の通信は、室内端末機と熱源機とを接続し室内端末機から出力される信号を熱源機に一方向に伝える端末制御線（Ｅ−ｃｏｎ通信線）を介して行われ、室内端末機から出力される信号により熱源機の運転開始または停止を制御できるようにしている。（例えば、特許文献１参照。）また、温水のみならず冷水も生成することができる熱源機と、その熱源機の運転の開始または停止を指示する運転スイッチや暖房運転または冷房運転を選択する運転モード選択スイッチや温水温度または冷水温度を設定する温度設定スイッチ等を有するメインリモコンと、熱源機で加熱された温水または熱源機で冷却された冷水を通水させ室内の暖房または冷房を行える冷暖房兼用の室内端末機と、室内端末機を遠隔制御する端末リモコンとを備えた冷温水供給システムが創案されている。（例えば、特許文献２参照。）
【先行技術文献】
【特許文献】
【０００３】
【特許文献１】特開２００４−１８３９４１号公報
【特許文献２】特開２０１５−１７７４８号公報
【発明の概要】
【発明が解決しようとする課題】
【０００４】
ところで、上記の冷温水供給システムにおいて、熱源機と室内端末機とが、一方向通信の端末制御線で接続され室内端末機から出力される信号により熱源機の運転開始または停止を制御できるようにした場合、ユーザが端末リモコンを操作し室内端末機から出力される信号により熱源機の運転を開始させたとき、熱源機ではメインリモコンの運転モード選択スイッチで設定された暖房運転または冷房運転が行われることとなる。
【０００５】
従来のように、熱源機が暖房専用であった場合は、熱源機は暖房運転しか選択肢がなく、室内端末機から信号が出力されると、熱源機は必然的に暖房運転を開始することになるが、熱源機が温水のみならず冷水も生成し冷暖房ができるものであった場合は、室内端末機から熱源機の運転開始信号が出力されても、熱源機と室内端末機とは一方向通信であるため、室内端末機は熱源機の状況を把握できず、室内端末機側では熱源機が暖房運転をするのか冷房運転をするのか判断することができない。
【０００６】
そうすると、例えば、ユーザが暖房運転を所望して端末リモコンを操作して室内端末機に運転開始を指示する信号を送り、室内端末機が運転開始信号を熱源機に出力したとしても、メインリモコンの運転モード選択スイッチで冷房運転が設定されていれば、熱源機は冷房運転を開始し、ユーザが所望している運転とは違う運転がなされ、しばらく時間が経過してもいっこうに室内が暖まらないことをユーザが不審に思い不快感を抱くおそれがあり、ユーザは室内が暖まらないことに対して運転モード選択スイッチの設定の間違いに気付いた場合であっても、室内端末機側からは運転の切り替えができず、ユーザはメインリモコンのある場所まで移動して運転モード選択スイッチを操作し所望の運転に設定し直さなければならず、その作業が煩わしいという問題点を有するものであった。
【０００７】
また、熱源機と室内端末機との間の通信を双方向通信とすれば、上述したような熱源機と室内端末機とで異なる運転を行うといった問題が生じることはないが、双方向通信とすると、コストの上昇を招くだけでなく、自社ブランドの熱源機とそれに対応する自社ブランドの室内端末機との間でしか双方向通信の制御が統一されていないので、他社ブランドの任意の熱源機と自社ブランドの室内端末機を組み合わせて使用するといったことができず、汎用性を欠くという問題点を有するものであった。
【課題を解決するための手段】
【０００８】
本発明は上記課題を解決するために、請求項１では、温水または冷水を供給する熱源機と、該熱源機に備えられ前記熱源機の動作を制御する熱源制御部と、前記熱源機からの温水または冷水を熱源として室内の暖房または冷房を行う室内端末機とを備えた冷温水供給システムにおいて、前記室内端末機に備えられ前記熱源機に対して信号を出力する送信手段と、前記熱源機に備えられ前記送信手段から出力された信号を受信する受信手段と、前記送信手段からの信号を前記受信手段に一方向にのみ伝える端末制御線とを設け、前記送信手段から室内を暖房するために温水供給が必要であるという温水要求信号が出力され、その信号が前記端末制御線を介して前記受信手段に受信された場合、前記熱源制御部は、前記熱源機に温水を生成させるように制御し前記室内端末機に温水を供給させる一方、前記送信手段から室内を冷房するために冷水供給が必要であるという冷水要求信号が出力され、その信号が前記端末制御線を介して前記受信手段に受信された場合、前記熱源制御部は、前記熱源機に冷水を生成させるように制御し前記室内端末機に冷水を供給させるものとした。
【０００９】
また、請求項２では、前記端末制御線として、３芯からなるＥ−ｃｏｎ通信線を用いるものとした。
【発明の効果】
【００１０】
この発明の請求項１によれば、送信手段から室内を暖房するために温水供給が必要であるという温水要求信号が出力され、その信号が一方向通信のみ行える端末制御線を介して受信手段に受信された場合、熱源制御部は、熱源機に温水を生成させるように制御し室内端末機に温水を供給させる一方、送信手段から室内を冷房するために冷水供給が必要であるという冷水要求信号が出力され、その信号が一方向通信のみ行える端末制御線を介して受信手段に受信された場合、熱源制御部は、熱源機に冷水を生成させるように制御し室内端末機に冷水を供給させるようにしたことで、ユーザが所望する運転を熱源機に確実に実行させることができ、煩わしい作業を行う必要がないものであり、コストの上昇も招くことなく、任意の熱源機と室内端末機とを組み合わせて使用することができ、汎用性が高いものである。
【００１１】
また、請求項２によれば、端末制御線として、３芯からなるＥ−ｃｏｎ通信線を用いたことで、温水要求信号と冷水要求信号の２つの異なる信号の出力を３芯からなるＥ−ｃｏｎ通信線という簡素な構成で実現することができ、制御基板上のコネクタ数を少なくでき、ユーザが所望する運転を熱源機に確実に実行させることができるものである。
【図面の簡単な説明】
【００１２】
【図１】この発明の一実施形態の冷温水供給システムの概略構成図。
【図２】同一実施形態の冷温水供給システムの通信回路図。
【図３】同一実施形態の冷温水供給システムの暖房運転時の動作を説明する説明図。
【図４】同一実施形態の冷温水供給システムの冷房運転時の動作を説明する説明図。
【図５】同一実施形態の冷温水供給システムの他の通信回路図。
【発明を実施するための形態】
【００１３】
次に、この発明の一実施形態の冷温水供給システムを図面に基づき説明する。
１は冷水または温水を生成するヒートポンプ式の熱源機としてのヒートポンプユニットで、ヒートポンプユニット１は、冷媒を圧縮する能力可変の圧縮機２、四方弁３、負荷側熱交換器４、膨張弁５、熱源側熱交換器６を備え、それらを冷媒配管７で環状に接続してヒートポンプ回路８を形成しているものである。なお、ヒートポンプ回路８を循環する冷媒としては、ＨＦＣ冷媒や二酸化炭素冷媒等の任意の冷媒を用いることができるものである。
【００１４】
前記冷媒配管７に設けられた四方弁３は、ヒートポンプ回路８における冷媒の流れ方向を切り換える切換弁としての機能を有し、圧縮機２から吐出された冷媒を、負荷側熱交換器４、膨張弁５、熱源側熱交換器６の順に流通させ、圧縮機２に戻す流路を形成する状態（暖房運転時の状態）と、圧縮機２から吐出された冷媒を、熱源側熱交換器６、膨張弁５、負荷側熱交換器４の順に流通させ、圧縮機２に戻す流路を形成する状態（冷房運転時の状態）とに切換可能なものである。
【００１５】
また、９は圧縮機２から吐出された冷媒の温度を検出する吐出温度センサ、１０は暖房運転時は膨張弁５から熱源側熱交換器６に流入するまでの気液混合状態の冷媒の温度を検出し、冷房運転時は熱源側熱交換器６から膨張弁５に流入するまでの冷媒の温度を検出するする冷媒温度センサである。
【００１６】
１１は熱源側熱交換器６を流通する冷媒を加熱または冷却する熱源として地中に設置された地中熱交換器で、熱源側熱交換器６と地中熱交換器１１を熱源側配管１２で環状に接続して熱源側循環回路１３を形成するものであり、熱源側配管１２には、熱源側循環回路１３に熱媒としてエチレングリコールやプロピレングリコール等を添加した不凍液を循環させる回転速度可変の熱源側循環ポンプ１４と、不凍液を貯留し熱源側循環回路１３の圧力を調整する熱源側シスターン１５とを備えているものである。
【００１７】
１６は室内の空調を行う室内端末機で、ここでは冷暖房兼用の室内端末機１６としてファンコイルを例示しており、ファンコイルは内部に熱交換器（図示せず）、送風ファン（図示せず）、熱動弁（図示せず）、室内温度を検出する室内温度センサ（図示せず）等を備え、ヒートポンプユニット１で加熱された温水または冷却された冷水を、ファンコイル内部の熱交換器に通水させると共に送風ファンを駆動させて室内空気と熱交換させることで、室内の暖房または冷房を行うことができるものである。なお、室内端末機１６が複数接続される場合は、ファンコイルの他に冷暖房兼用の冷温水パネルや暖房専用の床暖房パネルやパネルコンベクター等が接続されてもよいものである。
【００１８】
１７は負荷側熱交換器４と室内端末機１６とを環状に接続し負荷側循環ポンプ１８により不凍液等の熱媒を循環させる負荷側循環回路、１９は負荷側循環回路１７の室内端末機１６の上流側に設けられ熱媒を複数の室内端末機１６に分岐させる往きヘッダ、２０は負荷側循環回路１７の室内端末機１６の下流側に設けられた戻りヘッダ、２１は負荷側循環回路１７に設けられ室内端末機１６から負荷側熱交換器４に流入する熱媒の温度を検出する戻り温度センサ、２２は熱媒を貯留し負荷側循環回路１７の圧力を調整する負荷側シスターンである。なお、往きヘッダ１９および戻りヘッダ２０は複数の室内端末機１６を接続できるものであるが、ここでは１系統の室内端末機１６のみを図示するものとする。
【００１９】
２３は室内端末機１６を遠隔制御するワイヤレス式の端末リモコンで、端末リモコン２３は、室内端末機１６に室内を暖房する暖房運転を行わせる暖房スイッチ２４と、室内端末機１６に室内を冷房する冷房運転を行わせる冷房スイッチ２５と、室内端末機１６の運転を停止させる停止スイッチ２６と、室内温度を設定する室内温度設定スイッチ２７と、室内の設定温度や運転状態を表示する表示部２８とを備えているものである。
【００２０】
２９は室内端末機１６に内蔵され、室内端末機１６内部に設けられた室内温度センサの信号や端末リモコン２３からの信号を受け、室内端末機１６内部の送風ファンや熱動弁の駆動を制御する端末制御部で、この端末制御部２９はマイクロコンピュータ３０を主体として信号送信回路３１等で構成されており、ユーザにより端末リモコン２３の暖房スイッチ２４または冷房スイッチ２５が操作され運転開始の指示がなされると、端末制御部２９はその指示信号を受信し、その指示信号に応じて、マイクロコンピュータ３０の出力ポートＯＵＴ１またはＯＵＴ２から信号を出力して信号送信回路３１の接点３２または接点３３を閉止させ、端末制御部２９からヒートポンプユニット１側に暖房運転に関連する温水要求信号または冷房運転に関連する冷水要求信号を出力するものであり、このマイクロコンピュータ３０および信号送信回路３１が、ヒートポンプユニット１に対して信号を出力する送信手段として機能するものである。
【００２１】
３４はリビング等の室内に設置されるメインリモコンで、メインリモコン３４は、押圧によってメインリモコン３４とヒートポンプユニット１の電気系統に通電を行いヒートポンプユニット１を待機状態にする電源スイッチ３５と、ヒートポンプユニット１の待機状態を暖房運転にするか冷房運転にするかを選択する運転モード選択スイッチ３６と、押圧によって運転モード選択スイッチ３６で選択されている暖房運転または冷房運転にてヒートポンプユニット１の運転を開始させる運転スイッチ３７と、室内端末機１６に供給する温水または冷水の温度を設定する供給水温設定スイッチ３８と、室内端末機１６に供給する温水または冷水の設定温度やヒートポンプユニット１の運転状態を表示する表示部３９とを備えているものである。
【００２２】
４０はヒートポンプユニット１内の各種センサの信号や、室内端末機１６の端末制御部２９から出力される信号や、メインリモコン３４からの信号を受け、圧縮機２、四方弁３、膨張弁５、熱源側循環ポンプ１４、負荷側循環ポンプ１８の駆動を制御する熱源制御部で、この熱源制御部４０はマイクロコンピュータ４１を主体として信号受信回路４２等で構成されているものであり、熱源制御部４０とメインリモコン３４の間は、双方向通信線４３で接続され信号のやりとりを相互に行っており、熱源制御部４０と端末制御部２９の間は、端末制御部２９からの信号を一方向に伝える端末制御線４４（Ｅ−ｃｏｎ通信線）で接続されており、端末制御線４４は、４４Ａ、４４Ｂ、４４Ｃの３芯で構成されている。なお、前記マイクロコンピュータ４１および信号受信回路４２が、室内端末機１６側から出力された信号を受信する受信手段として機能するものである。また、上記Ｅ−ｃｏｎ通信とは、大手ガス会社や暖房機器メーカ等の共通仕様で、端末機から出力される一方向の信号により、熱源機の動作を開始・停止させる通信を意味し、Ｅ−ｃｏｎ通信線は安価に利用でき、汎用性が高いものである。
【００２３】
次に、この一実施形態の冷温水供給システムにおいて、暖房運転を行う場合の動作について説明する。ここで、メインリモコン３４の電源スイッチ３５はオンされており、ヒートポンプユニット１は待機状態となっているものとする。
【００２４】
ユーザにより前記端末リモコン２３の暖房スイッチ２４が操作され、暖房運転開始の指示がなされると、端末制御部２９はその旨の指示信号を受信し、マイクロコンピュータ３０の出力ポートＯＵＴ１から信号を出力して信号送信回路３１の接点３２を閉止させる。この時、接点３３は開放状態となっている。
【００２５】
前記接点３２が閉止されると、熱源制御部４０のＶｃｃの電圧信号が、端末制御線４４Ａから信号送信回路３１を通じて出力され、端末制御線４４Ｂを介して信号受信回路４２に入力され、マイクロコンピュータ４１の入力ポートＩＮ１の電圧レベルがハイレベルからローレベルに変化する。これにより、マイクロコンピュータ４１は、室内端末機１６側から暖房運転するために温水供給が必要であるという温水要求信号が出力されたと判断し、ヒートポンプユニット１の圧縮機２等の駆動を開始させ、メインリモコン３４の供給水温設定スイッチ３８で設定された温度の温水生成動作を開始するものである。
【００２６】
なお、ユーザにより端末リモコン２３の暖房スイッチ２４が操作される前のヒートポンプユニット１の待機状態が冷房運転の状態であったとしても、ユーザにより端末リモコン２３の暖房スイッチ２４が操作され、室内端末機１６側から温水要求信号がヒートポンプユニット１側に出力された場合は、ヒートポンプユニット１は冷房運転で待機していた状態から四方弁３の切り換えによって暖房運転の状態に変更され、温水生成動作を開始するものである。
【００２７】
ここで、暖房運転が開始されると、図３に示すように、ヒートポンプ回路８では、圧縮機２から吐出された冷媒が、負荷側熱交換器４、膨張弁５、熱源側熱交換器６の順に流れ、負荷側循環ポンプ１８の駆動により負荷側循環回路１７を循環する熱媒と圧縮機２から吐出された高温冷媒とが負荷側熱交換器４にて熱交換され、加熱された熱媒（温水）が負荷側循環ポンプ１８の駆動によって室内端末機１６に供給され、室内端末機１６内部の熱交換器に通水させると共に送風ファンを駆動させて室内空気と熱交換させることで、室内の暖房が行われるものである。また、熱源側熱交換器６では、熱源側循環回路１３を循環する不凍液と膨張弁５から吐出された低温冷媒とが熱交換され、冷媒が加熱されて蒸発するものである。
【００２８】
前記暖房運転中に、ユーザにより端末リモコン２３の停止スイッチ２６が操作され、暖房運転停止の指示がなされると、端末制御部２９はその旨の指示信号を受信し、マイクロコンピュータ３０の出力ポートＯＵＴ１から信号を出力して信号送信回路３１の接点３２を開放させる。
【００２９】
前記接点３２が開放されると、熱源制御部４０のマイクロコンピュータ４１の入力ポートＩＮ１の電圧レベルがローレベルからハイレベルに変化し、マイクロコンピュータ４１は、室内端末機１６での暖房運転が停止され、温水要求信号の出力が停止されたと判断し、ヒートポンプユニット１の圧縮機２等の駆動を停止させ、温水生成動作を停止するものである。
【００３０】
次に、この一実施形態の冷温水供給システムにおいて、冷房運転を行う場合の動作について説明する。ここで、メインリモコン３４の電源スイッチ３５はオンされており、ヒートポンプユニット１は待機状態となっているものとする。
【００３１】
ユーザにより前記端末リモコン２３の冷房スイッチ２５が操作され、冷房運転開始の指示がなされると、端末制御部２９はその旨の指示信号を受信し、マイクロコンピュータ３０の出力ポートＯＵＴ２から信号を出力して信号送信回路３１の接点３３を閉止させる。この時、接点３２は開放状態となっている。
【００３２】
前記接点３３が閉止されると、熱源制御部４０のＶｃｃの電圧信号が、端末制御線４４Ａから信号送信回路３１を通じて出力され、端末制御線４４Ｃを介して信号受信回路４２に入力され、マイクロコンピュータ４１の入力ポートＩＮ２の電圧レベルがハイレベルからローレベルに変化する。これにより、マイクロコンピュータ４１は、室内端末機１６側から冷房運転するために冷水供給が必要であるという冷水要求信号が出力されたと判断し、ヒートポンプユニット１の圧縮機２等の駆動を開始させ、メインリモコン３４の供給水温設定スイッチ３８で設定された温度の冷水生成動作を開始するものである。
【００３３】
なお、ユーザにより端末リモコン２３の冷房スイッチ２５が操作される前のヒートポンプユニット１の待機状態が暖房運転の状態であったとしても、ユーザにより端末リモコン２３の冷房スイッチ２５が操作され、室内端末機１６側から冷水要求信号がヒートポンプユニット１側に出力された場合は、ヒートポンプユニット１は暖房運転で待機していた状態から四方弁３の切り換えによって冷房運転の状態に変更され、冷水生成動作を開始するものである。
【００３４】
ここで、冷房運転が開始されると、図４に示すように、ヒートポンプ回路８では、圧縮機２から吐出された冷媒が、熱源側熱交換器６、膨張弁５、負荷側熱交換器４の順に流れ、負荷側循環ポンプ１８の駆動により負荷側循環回路１７を循環する熱媒と膨張弁５から吐出された低温冷媒とが負荷側熱交換器４にて熱交換され、冷却された熱媒（冷水）が負荷側循環ポンプ１８の駆動によって室内端末機１６に供給され、室内端末機１６内部の熱交換器に通水させると共に送風ファンを駆動させて室内空気と熱交換させることで、室内の冷房が行われるものである。また、熱源側熱交換器６では、熱源側循環回路１３を循環する不凍液と圧縮機２から吐出された高温冷媒とが熱交換され、冷媒が冷却されて凝縮するものである。
【００３５】
前記冷房運転中に、ユーザにより端末リモコン２３の停止スイッチ２６が操作され、冷房運転停止の指示がなされると、端末制御部２９はその旨の指示信号を受信し、マイクロコンピュータ３０の出力ポートＯＵＴ２から信号を出力して信号送信回路３１の接点３３を開放させる。
【００３６】
前記接点３３が開放されると、熱源制御部４０のマイクロコンピュータ４１の入力ポートＩＮ２の電圧レベルがローレベルからハイレベルに変化し、マイクロコンピュータ４１は、室内端末機１６での冷房運転が停止され、冷水要求信号の出力が停止されたと判断し、ヒートポンプユニット１の圧縮機２等の駆動を停止させ、冷水生成動作を停止するものである。
【００３７】
以上説明した冷温水供給システムにおいて、室内端末機１６とヒートポンプユニット１との間の通信を、室内端末機１６からの信号をヒートポンプユニット１に対して一方向に伝える端末制御線４４を用いて行うものにおいて、ユーザにより端末リモコン２３の暖房スイッチ２４が操作され、室内端末機１６の端末制御部２９（マイクロコンピュータ３０および信号送信回路３１）から温水要求信号が出力され、その信号が端末制御線４４を介してヒートポンプユニット１の熱源制御部４０（マイクロコンピュータ４１および信号受信回路４２）に受信された場合、熱源制御部４０は、四方弁３を切り換えてヒートポンプ回路８を暖房運転の状態とし、圧縮機２等を駆動をさせて温水を生成するように制御すると共に、負荷側循環ポンプ１８を駆動させて室内端末機１６に温水を供給させ、室内端末機１６が設置された室内の暖房が行われる一方、ユーザにより端末リモコン２３の冷房スイッチ２５が操作され、室内端末機１６の端末制御部２９（マイクロコンピュータ３０および信号送信回路３１）から冷水要求信号が出力され、その信号が端末制御線４４を介してヒートポンプユニット１の熱源制御部４０（マイクロコンピュータ４１および信号受信回路４２）に受信された場合、熱源制御部４０は、ヒートポンプ回路８を冷房運転の状態とし、圧縮機２等を駆動をさせて冷水を生成するように制御すると共に、負荷側循環ポンプ１８を駆動させて室内端末機１６に冷水を供給させ、室内端末機１６が設置された室内の冷房が行われるようにしたことで、端末リモコン２３で操作したユーザが所望する運転をヒートポンプユニット１に確実に実行させることができ、メインリモコン３４の運転モード選択スイッチ３６を操作して、ヒートポンプユニット１の状態をわざわざユーザが所望する運転に設定し直すといった煩わしい作業を行う必要がないものであり、室内端末機１６とヒートポンプユニット１との間は一方向通信接続され、コストの上昇も招くことなく、自社のみならず他社の任意の熱源機と室内端末機１６とを組み合わせて使用することができ、汎用性が高いものである。
【００３８】
また、端末制御線４４に３芯からなるＥ−ｃｏｎ通信線を用いたことで、端末制御線４４Ａを共用線として、端末制御線４４Ａおよび端末制御線４４Ｂを使用して温水要求信号を出力することができる一方、端末制御線４４Ａおよび端末制御線４４Ｃを使用して冷水要求信号を出力することができるので、２つの異なる信号の出力を３芯からなるＥ−ｃｏｎ通信線１つで実現することができ、制御基板上のコネクタ数が少なくなり、簡素な構成でユーザが所望する運転をヒートポンプユニット１に確実に実行させることができるものである。
【００３９】
なお、本発明は先に説明した一実施形態に限定されるものでなく、本実施形態では、室内端末機１６とヒートポンプユニット１との間で一方向通信を行うために、端末制御線４４として３芯からなるＥ−ｃｏｎ通信線を用いたが、図５に示すように、２芯からなるＥ−ｃｏｎ通信線を温水要求信号出力用と冷水要求信号出力用とで別々に設け、それらを室内端末機１６とヒートポンプユニット１との間で一方向通信を行うための端末制御線４５（４５Ａ、４５Ｂ）、端末制御線４６（４６Ａ、４６Ｂ）としてもよいものであり、このようにしても、先に説明した実施形態と同様、暖房運転または冷房運転を行う上で同じように動作し、端末リモコン２３で操作したユーザが所望する運転をヒートポンプユニット１に確実に実行させることができるものである。
【００４０】
また、本実施形態では、ユーザにより端末リモコン２３の暖房スイッチ２４または冷房スイッチ２５が操作され、室内端末機１６において暖房運転または冷房運転を行う際に、メインリモコン３４の電源スイッチ３５はオンされており、ヒートポンプユニット１は待機状態となっているものとして説明したが、メインリモコン３４の電源スイッチ３５がオンされていない状態のときに、ユーザによって端末リモコン２３の暖房スイッチ２４または冷房スイッチ２５が操作された場合であっても、先に説明したのと同様に、室内端末機１６の端末制御部２９（マイクロコンピュータ３０および信号送信回路３１）からの信号に基づいた動作をヒートポンプユニット１が開始するようにしてもよいものであり、そうすることで、端末リモコン２３で操作したユーザが所望する運転をヒートポンプユニット１に確実に実行させることができるものである。
【００４１】
また、本実施形態では、冷温水供給システムの熱源機として地中熱源式のヒートポンプユニット１を示したが、空気熱源式のヒートポンプユニットを熱源機とする冷温水供給システムに対しても本発明を適用することができるものである。
【符号の説明】
【００４２】
１  ヒートポンプユニット
１６  室内端末機
２９  端末制御部
３０  マイクロコンピュータ
３１  信号送信回路
４０  熱源制御部
４１  マイクロコンピュータ
４２  信号受信回路
４４  端末制御線
４５  端末制御線
４６  端末制御線
【図１】
2017090002.tif 000003
【図２】
2017090002.tif 000004
【図３】
2017090002.tif 000005
【図４】
2017090002.tif 000006
【図５】
2017090002.tif 000007